(57)【要約】  操作子用の貫通孔から楽器本体内に水分を浸入させ難くできる電子吹奏楽器を提供する。電子吹奏楽器（１）は、内部空間（１１）に連なる貫通孔（１４）が外面（１２）に開口する楽器本体（１０）と、貫通孔（１４）の位置で楽器本体（１０）に取り付けられると共に内部空間（１１）側へ押下される操作子（２０）と、内部空間（１１）に配置される電子部品と、を備え、電子部品は、操作子（２０）の押下状態を検出する押下センサ（６）を備え、楽器本体（１０）の外面（１２）は、貫通孔（１４）まわりに設けられて貫通孔（１４）側を向く外壁（１６ａ）と、外壁（１６ａ）よりも貫通孔（１４）側に設けられて外壁（１６ａ）側を向く内壁（１６ｂ）と、外壁（１６ａ）と内壁（１６ｂ）とを連結する溝底（１６ｃ）と、を備える。
2019229862.tif 000002
【特許請求の範囲】
【請求項１】
内部空間に連なる貫通孔が外面に開口する楽器本体と、
前記貫通孔の位置で前記楽器本体に取り付けられると共に前記内部空間側へ押下される操作子と、
前記内部空間に配置される電子部品と、を備え、
前記電子部品は、前記操作子の押下状態を検出する押下センサを備え、
前記楽器本体の前記外面は、前記貫通孔まわりに設けられて前記貫通孔側を向く外壁と、
前記外壁よりも前記貫通孔側に設けられて前記外壁側を向く内壁と、
前記外壁と前記内壁とを連結する溝底と、を備えることを特徴とする電子吹奏楽器。
【請求項２】
前記内壁は、前記操作子を押下方向に投影した範囲内に設けられることを特徴とする請求項１記載の電子吹奏楽器。
【請求項３】
前記外壁の前記溝底からの高さは、前記内壁の前記溝底からの高さよりも高いことを特徴とする請求項２記載の電子吹奏楽器。
【請求項４】
前記外壁は、前記操作子の側面を囲むことを特徴とする請求項２又は３に記載の電子吹奏楽器。
【請求項５】
前記操作子は、前記貫通孔に挿入される軸部と、
前記軸部の前記外面側の端部に連なって前記軸部に対して軸直角方向外側に張り出す操作部とを備え、
前記軸部は、前記操作子の押下時に前記貫通孔の内周面に対してスライドし、
前記外壁は、前記操作部の側面を囲むことを特徴とする請求項４記載の電子吹奏楽器。
【請求項６】
前記軸部は、少なくとも前記貫通孔の内周面と擦れる部位が自己潤滑性を有する樹脂材料からなることを特徴とする請求項５記載の電子吹奏楽器。
【請求項７】
前記操作部は、前記軸部とは別部品であることを特徴とする請求項５又は６に記載の電子吹奏楽器。
【請求項８】
前記内部空間に配置されて前記押下センサが設けられる支持部材と、
前記押下センサの周囲の前記支持部材に配置される壁部とを備えることを特徴とする請求項１から７のいずれかに記載の電子吹奏楽器。
【請求項９】
前記楽器本体は、前記溝底を前記外面によって形成する底形成部を備え、
前記壁部は、前記溝形成部と一体成形されると共に、前記支持部材に接触することを特徴とする請求項８記載の電子吹奏楽器。
【発明の詳細な説明】
【技術分野】
【０００１】
本発明は、操作子用の貫通孔から楽器本体内に水分を浸入させ難くできる電子吹奏楽器に関する。
【背景技術】
【０００２】
従来、吹込口への演奏者の呼気の吹き込みと、操作子の押下とに基づいて楽音を生成する電子吹奏楽器が知られている（特許文献１）。特許文献１に開示される電子吹奏楽器は、内部空間に連なる貫通孔が外面に開口する楽器本体と、その貫通孔に一部が挿入されて楽器本体に取り付けられる操作子と、その操作子の押下を検出する押下センサを有して楽器本体内に配置される電子部品とを備える。
【先行技術文献】
【特許文献】
【０００３】
【特許文献１】実開平２−１１１１９８号公報
【発明の概要】
【発明が解決しようとする課題】
【０００４】
しかしながら、上記従来の技術では、楽器本体の外面で結露した演奏者の呼気中の水分などが、楽器本体の外面を伝って操作子用の貫通孔から楽器本体の内部空間に浸入することがある。その水分が楽器本体内の電子部品に付着すると、電子部品に不具合や故障を生じさせるおそれがある。【０００５】
本発明は上述した問題点を解決するためになされた。本発明は、操作子用の貫通孔から楽器本体内に水分を浸入させ難くできる電子吹奏楽器を提供することを目的とする。
【課題を解決するための手段】
【０００６】
この目的を達成するために本発明の電子吹奏楽器は、内部空間に連なる貫通孔が外面に開口する楽器本体と、前記貫通孔の位置で前記楽器本体に取り付けられると共に前記内部空間側へ押下される操作子と、前記内部空間に配置される電子部品と、を備え、前記電子部品は、前記操作子の押下状態を検出する押下センサを備え、前記楽器本体の前記外面は、前記貫通孔まわりに設けられて前記貫通孔側を向く外壁と、前記外壁よりも前記貫通孔側に設けられて前記外壁側を向く内壁と、前記外壁と前記内壁とを連結する溝底と、を備える。
【図面の簡単な説明】
【０００７】
【図１】第１実施形態における電子吹奏楽器の上面図である。
【図２】図１のＩＩ−ＩＩ線における電子吹奏楽器の断面図である。
【図３】貫通孔の周辺を拡大した楽器本体の上面図である。
【図４】（ａ）は図１のＩＶａ−ＩＶａ線における電子吹奏楽器の断面図である。（ｂ）は図１のＩＶｂ−ＩＶｂ線における電子吹奏楽器の断面図である。
【図５】第２実施形態における電子吹奏楽器の断面図である。
【発明を実施するための形態】
【０００８】
以下、好ましい実施形態について、添付図面を参照して説明する。まず、図１を参照して、電子吹奏楽器１の全体構成について説明する。図１は、第１実施形態における電子吹奏楽器１の上面図である。なお、各図面の矢印Ｕ方向、矢印Ｄ方向、矢印Ｆ方向、矢印Ｂ方向、矢印Ｌ方向、矢印Ｒ方向は、それぞれ電子吹奏楽器１の上方向、下方向、前方向、後方向、左方向、右方向を示す。但し、電子吹奏楽器１の上下方向、前後方向、左右方向は、電子吹奏楽器１の使用時の上下方向、前後方向、左右方向とは必ずしも一致しない。
【０００９】
図１に示すように、電子吹奏楽器１は、吹奏楽器の１種であるサックスを模した電子楽器である。電子吹奏楽器１は、楽器本体１０と、吹込口２と、複数の操作子２０，２１，２２と、ブレスセンサ４等の電子部品とを備える。
【００１０】
楽器本体１０は、外装であり、前後方向に長く形成されている。楽器本体１０の内部空間１１（図２参照）には、ブレスセンサ４等の電子部品が配置される。吹込口２は、サックスのマウスピースを模したものである。吹込口２は、楽器本体１０の後端部に取り付けられる。
【００１１】
吹込口２には、後端から演奏者の呼気が吹き込まれる。この呼気の吹き込みの有無や強さ等をブレスセンサ４により検出する。ブレスセンサ４は、吹込口２への呼気の吹き込みに伴う気圧の変化を検出する圧力センサである。
【００１２】
操作子２０，２１，２２は、演奏者によって内部空間１１側へ押下されるキースイッチである。楽器本体１０の上側の外面１２には、押下方向（上下方向）から見て、円形状の複数の操作子２０と、方形状の複数の操作子２１とが取り付けられている。また、楽器本体１０の左右両側の外面１３には、押下方向（左右方向）から見て方形状の複数の操作子２２が取り付けられている。
【００１３】
次に図２及び図３を参照して、操作子２０，２１周囲の構造について詳しく説明する。図２は図１のＩＩ−ＩＩ線における電子吹奏楽器１の断面図である。図３は、操作子２０，２１が取り付けられる位置の貫通孔１４の周辺を拡大した楽器本体１０の上面図である。なお、図３には、操作部２４，２５（操作子２０，２１）の外形線が二点鎖線で図示される。また、操作子２１，２２周囲の構造は、操作子２０周囲の構造と略同一であり、その同一部分については同一の符号を付して説明を省略する。
【００１４】
図２及び図３に示すように、楽器本体１０には、内部空間１１に連なる複数の貫通孔１４が外面１２に開口する。操作子２０が取り付けられる位置の楽器本体１０の外面１２には、貫通孔１４まわりの全周に突出部１５、溝１６及び接触面１２ａが設けられる。突出部１５は、その外側に対して上方（内部空間１１とは反対側）へ突出する環状の部位である。
【００１５】
溝１６は、突出部１５の内側を下方（内部空間１１側）へ凹ませる部位である。溝１６は、外壁１６ａと、内壁１６ｂと、溝底１６ｃとを備える。外壁１６ａは、貫通孔１４側を向く壁面である。突出部１５の内周面は外壁１６ａの一部である。
【００１６】
内壁１６ｂは、外壁１６ａ側を向く壁面である。内壁１６ｂは、筒部１０ａの外周面を構成する。楽器本体１０の一部である筒部１０ａの内周面は、貫通孔１４の内周面である。外壁１６ａ及び内壁１６ｂの一部は、操作子２０の押下方向（貫通孔１４の貫通方向）と略平行に設けられる。
【００１７】
溝底１６ｃは、外壁１６ａと内壁１６ｂとの下端（内部空間１１側の端部）同士を連結する部位である。楽器本体１０の底形成部１０ｂの外面１２によって溝底１６ｃが形成されている。この底形成部１０ｂから上方へ向かって外壁１６ａ及び内壁１６ｂが立ち上がる。溝底１６ｃ及び底形成部１０ｂは、操作子２０の押下方向と略垂直に設けられる。外壁１６ａの溝底１６ｃからの高さＨ１は、内壁１６ｂの溝底１６ｃからの高さＨ２よりも高い。
【００１８】
接触面１２ａは、筒部１０ａの上端である。即ち、接触面１２ａは、内壁１６ｂの上端と貫通孔１４の内周面の上端とを連結する部位である。接触面１２ａは、操作子２０の押下時に操作子２０の一部（操作部２４）が接触して、それ以上の操作子２０の押下を禁止する（操作子２１，２２に対しても同様）。
【００１９】
操作子２０は、軸部２３と、操作部２４とを備えている。軸部２３は、貫通孔１４に挿入される部位である。軸部２３は、貫通孔１４の内周面に対して軸方向にスライドする。軸部２３は、自己潤滑性を有する樹脂材料から構成されている。自己潤滑性を有する樹脂材料としては、ポリアセタールやポリアミド、ポリテトラフルオロエチレン等が例示される。
【００２０】
軸部２３の下端には、軸直角方向へ張り出す爪２３ａが設けられる。この爪２３ａが貫通孔１４まわりの内部空間１１側の楽器本体１０（筒部１０ａの下端）に引っ掛かることで、軸部２３が貫通孔１４から上方へ容易に抜けないように構成されている。
【００２１】
操作部２４は、演奏者が触れる略円板状の部位である。操作部２４は、軸部２３の外面１２側の端部に連なって軸部２３に対して軸直角方向外側に張り出す。操作部２４は、軸部２３とは別部品である。操作部２４には、ねじ２３ｂによって軸部２３が固定される。
【００２２】
操作部２４は、第１部２４ａと第２部２４ｂとを接着などにより一体化して構成される。第１部２４ａは、操作部２４の上面を構成して演奏者に直接押される部位である。第２部２４ｂは、第１部２４ａの側面の全周を囲みつつ軸部２３が固定される部位である。第１部２４ａ及び第２部２４ｂは、合成樹脂製であり、その表面が塗装またはメッキ加工される。第１部２４ａと第２部２４ｂとで表面の色や質感を異ならせることで、操作部２４の外観や感触を向上できる。
【００２３】
操作部２４（操作子２０）を操作子２０の押下方向に投影した範囲内に内壁１６ｂが位置する。操作部２４は、側面の全周が外壁１６ａに囲まれる。なお、本明細書における操作子２０や操作部２４の側面とは、操作子２０の押下方向を中心とした外周面を示す（操作子２１，２２も同様）。
【００２４】
楽器本体１０の内部空間１１には、複数の制御基板５や押下センサ６等の電子部品が配置される。制御基板５は、軸部２３の軸方向と略垂直に楽器本体１０に固定されている。制御基板５は、ブレスセンサ４（図１参照）の検出値と押下センサ６の検出値とに基づいて楽音信号を生成する。そして、その楽音信号に基づいて、楽器本体１０に取り付けたスピーカ（図示せず）から楽音が放音される。
【００２５】
なお、押下センサ６の検出値とブレスセンサ４の検出値とを外部の音源に出力し、その音源で楽音信号を生成させても良い。また、楽音信号を外部のアンプやスピーカに出力して、楽音信号に基づく楽音を外部のスピーカから放音させても良い。
【００２６】
押下センサ６は、軸部２３（貫通孔１４）の直下の制御基板５に設けられる感圧センサである。押下センサ６は、複数の操作子２０，２１，２２（図１参照）に個別にそれぞれ設けられる。そして、複数の押下センサ６は、演奏者による操作子２０，２１，２２の押下状態をそれぞれ検出する。
【００２７】
複数の押下センサ６と複数の軸部２３との間にはそれぞれ、円柱状のゴムからなる弾性体７が介在する。複数の弾性体７は、ゴム膜８により連なって一体成形されている。この弾性体７及びゴム膜８は、制御基板５の一部である。弾性体７及びゴム膜８は、制御基板５の配線などを覆うように、制御基板５の貫通孔１４側の面に設けられている。
【００２８】
制御基板５（ゴム膜８）の貫通孔１４側の面には、押下センサ６の全周に壁部１０ｃが配置されている。壁部１０ｃは、上端が楽器本体１０の底形成部１０ｂと一体成形される筒状の部位であり、下端が制御基板５のゴム膜８に接触する。
【００２９】
爪２３ａが楽器本体１０に引っ掛かっている初期位置の操作子２０，２１，２２を演奏者が押下すると、軸部２３が押下センサ６側へ移動し、弾性体７を介して押下センサ６に圧力が加わる。押下センサ６（制御基板５）は、押下センサ６に加わる圧力が閾値を超えた場合に、演奏者により操作子２０，２１，２２が押下されていると判断する。
【００３０】
なお、演奏者による操作子２０，２１，２２の押下が解除されると、弾性体７の弾性力によって操作子２０，２１，２２が押し上げられて初期位置まで戻される。また、制御基板５から軸部２３までの距離に応じ、操作子２０，２１，２２が初期位置で保持されるように弾性体７の高さが適宜設定される。
【００３１】
図３に示すように、操作子２１（図１参照）が取り付けられる位置の外面１２には、貫通孔１４まわりの全周に突出部１５が設けられる。なお、操作子２１の操作部２５は、操作子２１の押下方向から見て方形状に形成される点、表面が塗装またはメッキ加工された合成樹脂から一体に構成される点以外は、操作部２４と構成が同一である。
【００３２】
操作子２１が取り付けられる位置の外面１２は、突出部１５の内側（貫通孔１４側）に、外壁１７ａと内壁１７ｂと溝底１７ｃとを備える。外壁１７ａは、貫通孔１４側を向く壁面である。外壁１７ａは、貫通孔１４まわりの全周に設けられる。外壁１７ａは、操作部２５の側面の全周を囲む。突出部１５の内周面は外壁１７ａの一部である。
【００３３】
内壁１７ｂは、外壁１７ａ側を向く壁面である。内壁１７ｂは、貫通孔１４に対して方形状の操作子２１の長手方向の両側に位置する。内壁１７ｂの両側縁が外壁１７ａに連なる。操作部２５（操作子２１）を操作子２１の押下方向に投影した範囲内に内壁１７ｂが設けられる。外壁１７ａ及び内壁１７ｂは、操作子２１の押下方向と略平行である。
【００３４】
溝底１７ｃは、外壁１７ａと内壁１７ｂとで囲まれた部分の下端同士を連結する部位である。溝底１７ｃは、操作子２１の押下方向と略垂直である。外壁１７ａの溝底１７ｃからの高さＨ１は、内壁１７ｂの溝底１７ｃからの高さＨ２よりも高い。この溝底１７ｃにより連結された外壁１７ａと内壁１７ｂとの間が、外面１２に設けられる溝１７である。即ち、溝１７は、貫通孔１４に対して方形状の操作子２１の長手方向の両側にそれぞれ設けられる。
【００３５】
次に図４（ａ）及び図４（ｂ）を参照して操作子２２周囲の構造について説明する。図４（ａ）は図１のＩＶａ−ＩＶａ線における電子吹奏楽器１の断面図である。図４（ｂ）は図１のＩＶｂ−ＩＶｂ線における電子吹奏楽器１の断面図である。
【００３６】
図４（ａ）及び図４（ｂ）に示すように、操作子２２は、演奏者によって内部空間１１側（左右方向）へ押下される。操作子２２は、軸部２３と、操作部２６とを備えている。操作部２６は、操作子２１の操作部２５と若干形状が異なるが略同一に構成される。
【００３７】
図４（ａ）に示すように、楽器本体１０の右側の外面１３は、貫通孔１４まわりに、外壁１８ａと内壁１８ｂと溝底１８ｃとを備える。外壁１８ａは、貫通孔１４側を向く壁面である。外壁１８ａは、第１面１８ｄと第２面１８ｅと第３面１８ｆとを備える。
【００３８】
第１面１８ｄは、操作部２６の前後両側および下側を囲む部位である。第２面１８ｅは、第１面１８ｄの内部空間１１側の端縁に連なる部位である。第３面１８ｆは、第２面１８ｅに連なって第１面１８ｄよりも貫通孔１４側に位置する部位である。第２面１８ｅ及び第３面１８ｆは、貫通孔１４まわりの全周に設けられる。第１面１８ｄ及び第３面１８ｆは、操作子２２の押下方向と略平行に設けられる。第２面１８ｅは、操作子２２の押下方向と略垂直に設けられる。
【００３９】
内壁１８ｂは、外壁１８ａ側を向く壁面である。内壁１８ｂは、操作子２２の押下方向と略平行である。内壁１８ｂは、貫通孔１４まわりの全周に設けられる。操作部２６（操作子２２）を操作子２２の押下方向に投影した範囲内に内壁１８ｂ及び第３面１８ｆが位置する。
【００４０】
溝底１８ｃは、第３面１８ｆと内壁１８ｂとの内部空間１１側の端部同士を連結する部位である。溝底１８ｃは、操作子２２の押下方向と略垂直である。第１面１８ｄの溝底１８ｃからの高さＨ３は、内壁１８ｂの溝底１８ｃからの高さＨ４よりも高い。この溝底１８ｃで連結された外壁１８ａと内壁１８ｂとの間が、楽器本体１０の右側の外面１３に設けられる溝１８である。
【００４１】
図４（ｂ）に示すように、楽器本体１０の左側の外面１３は、貫通孔１４まわりに、外壁１９ａと内壁１９ｂと溝底１９ｃとを備える。外壁１９ａは、貫通孔１４側を向く壁面である。外壁１９ａは、操作部２６の前後両側および下側を囲む。
【００４２】
内壁１９ｂは、貫通孔１４とは反対側を向く壁面である。内壁１９ｂは、貫通孔１４まわりの全周に設けられる。内壁１９ｂの一部は、外壁１９ａと対向する。操作部２６（操作子２２）を操作子２２の押下方向に投影した範囲内に内壁１９ｂが位置する。外壁１９ａ及び内壁１９ｂは、操作子２２の押下方向と略平行である。
【００４３】
溝底１９ｃは、外壁１９ａと内壁１９ｂとの内部空間１１側の端部同士を連結する部位である。溝底１９ｃは、操作子２２の押下方向と略垂直である。外壁１９ａの溝底１９ｃからの高さＨ５は、内壁１９ｂの溝底１９ｃからの高さＨ６よりも高い。この溝底１９ｃで連結された外壁１９ａと内壁１９ｂとの間が、楽器本体１０の左側の外面１３に設けられる溝１９である。
【００４４】
以上のように、電子吹奏楽器１は、吹込口２に演奏者が呼気を吹き込むことで楽音を生成するので、その演奏者の呼気中の水分が楽器本体１０の外面１２，１３で結露したり、演奏者の唾液が外面１２，１３に付着したりする。これらの水分が、外面１２，１３を伝って操作子２０，２１，２２用の貫通孔１４から楽器本体１０の内部空間１１に浸入することがある。内部空間１１に浸入した水分が、弾性体７やゴム膜８等を伝って、制御基板５の配線（図示せず）や各部品のうちゴム膜８に覆われていないものに付着すると、その配線や各部品が腐食したりショートしたりするおそれがある。このように、貫通孔１４から内部空間１１に浸入した水分に起因して、制御基板５の各部位に不具合や故障を生じさせるおそれがある。
【００４５】
本実施形態における電子吹奏楽器１は、貫通孔１４まわりに設けられる外壁１６ａ，１７ａ，１８ａ，１９ａと内壁１６ｂ，１７ｂ，１８ｂ，１９ｂと溝底１６ｃ，１７ｃ，１８ｃ，１９ｃとによる溝１６，１７，１８，１９によって、外面１２，１３を伝う水分を受けることができる。これにより、操作子２０，２１，２２用の貫通孔１４から内部空間１１へ水分を浸入させ難くできる。その結果、貫通孔１４から内部空間１１に浸入した水分に起因して制御基板５の不具合や故障を生じさせ難くできる。
【００４６】
なお、電子吹奏楽器１で問題となる唾液や結露による水分量は少ない。そのため、制御基板５等の電子部品に防水加工をしたり、貫通孔１４まわりにシーリング材を設けたりしなくても、溝１６，１７，１８，１９によって十分に制御基板５の不具合や故障を生じさせ難くできる。
【００４７】
また、唾液や結露による水分量が少ないので、溝１６，１７，１８，１９に溜まる水分量も少なく、溜まった水分は演奏中や演奏後に蒸発してなくなることが多い。そのため、溝１６，１７，１８，１９に水分を排出する排出路を設けなくても良い。また、排出路がないので、演奏者が様々な体勢で電子吹奏楽器１を演奏しても、排出路の出口から水分が溝１６，１７，１８，１９へ流入することを防止できる。また、溝１６，１７，１８，１９から排出しようとした水分が排出路を逆流することを防止できる。
【００４８】
溝１６，１８，１９は貫通孔１４の全周に設けられるので、溝１６，１８，１９に囲まれた貫通孔１４に水分をより浸入させ難くできる。また、外壁１６ａ及び外壁１７ａの外側の外面１２には、自身の外側に対して上方へ突出する環状の突出部１５が設けられている。これにより、外面１２を伝って外壁１６ａ及び外壁１７ａの内側へ向かう水分を突出部１５により阻むことができる。その結果、突出部１５（外壁１６ａ及び外壁１７ａ）に囲まれた貫通孔１４に水分をより浸入させ難くできる。
【００４９】
溝１８は、外壁１８ａの第１面１８ｄが貫通孔１４の上側にないので、演奏者の体勢（電子吹奏楽器１の向き）によっては、溝１８に溜まった水分を第１面１８ｄがない部分から排出できる。その結果、溝１８に囲まれた貫通孔１４に水分をより浸入させ難くできる。溝１９は、外壁１９ａが貫通孔１４の上側にないので、演奏者の体勢によっては、溝１９に溜まった水分を外壁１９ａがない部分から排出できる。その結果、溝１９に囲まれた貫通孔１４に水分をより浸入させ難くできる。
【００５０】
さらに溝１８には、外壁１８ａの第３面１８ｆと内壁１８ｂと溝底１８ｃとによる小溝が、第２面１８ｅを内部空間１１側へ凹ませるようにして形成されている。これにより、溝１８に入った水分を第１面１８ｄがない部分からすぐに排出せずに、水分を小溝に溜めることができる。その結果、水分を溝１８から出難くして、溝１８から出た水分が外面１２，１３を伝って他の貫通孔１４に浸入することを抑制できる。
【００５１】
内壁１６ｂ，１７ｂ，１８ｂ，１９ｂは、操作子２０，２１，２２を押下方向に投影した範囲内に設けられる。そのため、内壁１６ｂ，１７ｂ，１８ｂ，１９ｂが操作子２０，２１，２２に隠れ、演奏者や聴衆などからは、内壁１６ｂ，１７ｂ，１８ｂ，１９ｂを見難くできる。これにより、水分を受ける溝１６，１７，１８，１９の存在を演奏者などに認識させ難くできる。その結果、溝１６，１７，１８，１９による電子吹奏楽器１の外観の悪化を抑制できる。
【００５２】
また、内壁１６ｂ，１７ｂ，１８ｂ，１９ｂの位置によって、溝１６，１７，１８，１９による電子吹奏楽器１の外観の悪化を抑制できるので、溝１６，１７，１８，１９を深くし易い。これにより、深くした溝１６，１７，１８，１９に溜められる水分量を多くできるので、貫通孔１４に水分をより浸入させ難くできる。
【００５３】
操作子２０，２１，２２（操作部２４，２５，２６）の側面は、外壁１６ａ，１７ａ，１８ａ，１９ａに囲まれているので、演奏者などから内壁１６ｂ，１７ｂ，１８ｂ，１９ｂをより見難くできる。これにより、溝１６，１７，１８，１９による電子吹奏楽器１の外観の悪化をより抑制できる。
【００５４】
特に、操作子２０，２１の側面は、外壁１６ａ，１７ａにより全周が囲まれている。そのため、外壁１６ａ，１７ａの下端が内部空間１１に直接連なっているように演奏者などに認識させ易くできる。即ち、外壁１６ａ，１７ａの内周側の全てが楽器本体１０に形成される貫通孔１４であるように演奏者などに認識させ易くできる。その結果、演奏者などに溝１６，１７の存在を更に認識させ難くできるので、溝１６，１７による電子吹奏楽器１の外観の悪化を更に抑制できる。
【００５５】
さらに、自身の外側に対して上方へ突出する環状の突出部１５の内周面が外壁１６ａ，１７ａの一部なので、突出部１５の内周側の全てが楽器本体１０に形成される貫通孔１４であるように、演奏者などに認識させ易くできる。これにより、演奏者などに溝１６，１７の存在を更に認識させ難くできるので、溝１６，１７による電子吹奏楽器１の外観の悪化を更に抑制できる。
【００５６】
操作子２０，２１，２２が動作するとき（押下時または押下の解除時）、軸部２３が貫通孔１４の内周面（筒部１０ａの内周面）に対してスライドする。これにより、操作子２０，２１，２２の動作を滑らかにできる。
【００５７】
さらに、軸部２３に対して軸直角方向外側に張り出す操作部２４，２５，２６の側面が外壁１６ａ，１７ａ，１８ａ，１９ａに囲まれているので、演奏者などから軸部２３を見難くできる。特に、操作部２４，２５の側面の全周が外壁１６ａ，１７ａに囲まれているので、軸部２３をより見難くできる。また、操作部２６の側面の一部は外壁１８ａ，１９ａに囲まれていないため、操作部２６と外壁１８ａの第２面１８ｅとの間や、操作部２６と溝底１９ｃとの間から軸部２３側が見える。しかし、第２面１８ｅや溝底１９ｃに対して操作部２６側まで内壁１８ｂ，１９ｂが立ち上がっているので、内壁１８ｂ，１９ｂにより軸部２３を見難くできる。
【００５８】
このように軸部２３が見難くされているので、外観向上のための軸部２３への塗装やコーティングを不要にできる。塗装やコーティングの膜厚はばらつき易いが、その膜厚を考慮せずに、貫通孔１４の内周面と擦れる軸部２３の寸法を管理できる。よって、貫通孔１４に対する軸部２３の寸法管理を容易にできる。
【００５９】
また、内壁１６ｂ，１７ｂ，１８ｂ，１９ｂが筒部１０ａの外周面であり、その筒部１０ａの内周面を軸部２３がスライドする。これにより、内壁１６ｂ，１７ｂ，１８ｂ，１９ｂを貫通孔１４や軸部２３に近づけて溝１６，１７，１８，１９の幅を広くできる。その結果、溝１６，１７，１８，１９の容積を大きくでき、溝１６，１７，１８，１９に溜められる水分量を多くできる。
【００６０】
貫通孔１４の内周面に対して軸部２３がスライドするため、外壁１６ａ，１７ａ，１８ａ，１９ａに対して操作部２４，２５，２６がスライドしないようにできる。ここで、外壁１６ａ，１７ａ，１８ａ，１９ａに対して操作部２４，２５，２６がスライドする場合には、操作子２０，２１，２２の押下時に操作部２４，２５，２６の側面に付着している微量の水分が溝１６，１７，１８，１９内に入るだけで、溝１６，１７，１８，１９に水分を入り難くできる。但し、この場合には、外壁１６ａ，１７ａ，１８ａ，１９ａと操作部２４，２５，２６との間に隙間が殆どなく、溝１６，１７，１８，１９内で蒸発した水分が外部へ放出され難くなる。そうすると、溝１６，１７，１８，１９内で水が蒸発し難くなったり、蒸発した水分が溝１６，１７，１８，１９内で結露し易くなったりする。
【００６１】
これに対して本実施形態では、外壁１６ａ，１７ａ，１８ａ，１９ａに対して操作部２４，２５，２６がスライドしないので、外壁１６ａ，１７ａ，１８ａ，１９ａと操作部２４，２５，２６との間の隙間を確保できる。この隙間を通して、溝１６，１７，１８，１９内で蒸発した水分を外部へ放出し易くできる。
【００６２】
自己潤滑性を有する樹脂材料から軸部２３が構成される。これにより、軸部２３を滑り易くするための軸部２３への塗装やコーティングをせずに、軸部２３を滑り易くできる。その結果、軸部２３への塗装やコーティングの不要に伴って貫通孔１４に対する軸部２３の寸法管理を容易にしつつ、操作子２０，２１，２２の動作をより滑らかにできる。
【００６３】
操作部２４，２５，２６と軸部２３とは別部品である。そのため、軸部２３の滑り易さとは無関係に、演奏者などが視認可能な操作部２４，２５，２６を加飾し易くできる。例えば、操作部２４，２５，２６を個別に塗装やコーティングし易くしたり、塗装やコーティングが容易な素材から操作部２４，２５，２６を構成したりして、操作部２４，２５，２６を加飾し易くできる。
【００６４】
外壁１６ａ，１７ａ，１９ａや第１面１８ｄの溝底１６ｃ，１７ｃ，１８ｃ，１９ｃからの高さＨ１，Ｈ３，Ｈ５は、その内側の内壁１６ｂ，１７ｂ，１８ｂ，１９ｂの溝底１６ｃ，１７ｃ，１８ｃ，１９ｃからの高さＨ２，Ｈ４，Ｈ６よりも高い。これにより、内壁１６ｂ，１７ｂ，１８ｂ，１９ｂに対して内部空間１１とは反対側に位置する操作子２０，２１，２２の一部の側面を、外壁１６ａ，１７ａ，１９ａや第１面１８ｄで囲み易くできる。その結果、外壁１６ａ，１７ａ，１９ａや第１面１８ｄによって内壁１６ｂ，１７ｂ，１８ｂ，１９ｂや軸部２３を見難くできる。
【００６５】
ここで、高さＨ１，Ｈ３，Ｈ５がそれぞれ高さＨ２，Ｈ４，Ｈ６以下である場合に、外壁１６ａ，１７ａ，１９ａや第１面１８ｄに操作部２４，２５，２６の側面が囲まれるためには、操作部２４，２５，２６の側面を内部空間１１側へ大きく垂れ下げる必要がある。しかし、本実施形態では、高さＨ１，Ｈ３，Ｈ５がそれぞれ高さＨ２，Ｈ４，Ｈ６よりも高いので、外壁１６ａ，１７ａ，１９ａや第１面１８ｄに側面が囲まれる操作部２４，２５，２６の形状を簡素化できる。
【００６６】
押下センサ６の周囲の制御基板５に壁部１０ｃが配置されている。これにより、貫通孔１４と軸部２３との間を通って内部空間１１に水分が浸入しても、その水分を壁部１０ｃによって広がり難くできる。特に、押下センサ６の全周に壁部１０ｃが設けられるので、貫通孔１４から浸入した水分を壁部１０ｃよりも内側に留め易くできる。
【００６７】
さらに、壁部１０ｃの内側に面する制御基板５は、略全面がゴム膜８から構成され、水分によって腐食やショートする配線などが露出していない。その結果、水分に起因して制御基板５の不具合や故障をより生じさせ難くできる。
【００６８】
壁部１０ｃの上端が楽器本体１０の底形成部１０ｂと一体成形され、壁部１０ｃの下端が制御基板５のゴム膜８に接触するので、貫通孔１４から内部空間１１に浸入した水分を壁部１０ｃの内側に閉じ込めることができる。壁部１０ｃをゴム膜８に強く押しつける程、壁部１０ｃとゴム膜８との間を通って壁部１０ｃの外側へ水分を伝わせ難くできる。また、底形成部１０ｂは、楽器本体１０に設けられる溝１６，１７，１８，１９の溝底１６ｃ，１７ｃ，１８ｃ，１９ｃを形成するので、制御基板５に底形成部１０ｂが近づけられる。この底形成部１０ｂに壁部１０ｃが一体成形されるので、壁部１０ｃの上下寸法（操作子２０の押下方向の寸法）を小さくできる。
【００６９】
次に図５を参照して第２実施形態について説明する。第１実施形態では、軸部２３が貫通孔１４に挿入されて操作子２０，２１，２２が楽器本体１０に取り付けられる場合について説明した。これに対し第２実施形態では、操作子３１が楽器本体１０の外面１２に取り付けられる場合について説明する。なお、第１実施形態と同一の部分については、同一の符号を付して以下の説明を省略する。図５は第２実施形態における電子吹奏楽器３０の断面図である。
【００７０】
図５に示すように、電子吹奏楽器３０の操作子３１は、演奏者によって楽器本体１０の内部空間１１側へ押下されるキースイッチである。操作子３１は、楽器本体１０の外面１２に立設される支持脚３２に支持軸３３を介して取り付けられる。
【００７１】
操作子３１は、貫通孔１４まわりの全周に設けられる環状の突出部１５の上方（内部空間１１とは反対側）を覆う。演奏者により押下されていない初期位置の操作子３１は、突出部１５との間が空いている。図示しないバネによって操作子３１の初期位置が保たれる。このバネの弾性力に逆らって演奏者が操作子３１を押下すると、支持軸３３を中心に操作子３１が回転して突出部１５の全周に接触する。
【００７２】
楽器本体１０の内部空間１１に配置される制御基板５には、貫通孔１４の直下に押下センサ３４が取り付けられている。押下センサ３４は、操作子３１との距離を測定する光センサである。押下センサ３４（制御基板５）は、突出部１５に接触した操作子３１までの距離を押下センサ３４が測定した場合に、演奏者により操作子３１が押下されていると判断する。
【００７３】
このように、操作子３１が外面１２に取り付けられていても、内部空間１１に配置される押下センサ３４により操作子３１の押下状態を検出するためには、操作子３１と押下センサ３４との間の楽器本体１０に貫通孔１４を設ける必要がある。第１実施形態と同様に第２実施形態でも、外面１２を伝う水分を、貫通孔１４まわりの溝１６で受けることができる。これにより、操作子３１用の貫通孔１４から内部空間１１へ水分を浸入させ難くできる。その結果、貫通孔１４から内部空間１１に浸入した水分に起因して押下センサ３４や制御基板５の不具合や故障を生じさせ難くできる。
【００７４】
外壁１６ａの溝底１６ｃからの高さＨ１は、内壁１６ｂの溝底１６ｃからの高さＨ２よりも高いので、操作子３１の側面が外壁１６ａに囲まれていなくても、外壁１６ａによって内壁１６ｂを見難くできる。これにより、貫通孔１４の全周に設けられる外壁１６ａの下端が内部空間１１に直接連なっているように、演奏者などに認識させ易くできる。その結果、演奏者などに溝１６の存在を認識させ難くできるので、溝１６による電子吹奏楽器３０の外観の悪化を抑制できる。
【００７５】
操作子３１の押下方向（貫通孔１４の貫通方向）に操作子３１を投影した範囲内に内壁１６ｂ及び外壁１６ａ（溝１６の全体）が位置する。これにより、操作子３１によって溝１６が隠れ、演奏者などに溝１６の存在を更に認識させ難くできる。その結果、溝１６による電子吹奏楽器３０の外観の悪化を更に抑制できる。
【００７６】
以上、上記実施形態に基づき説明をしたが、本発明は上記実施形態に何ら限定されるものではなく、本発明の趣旨を逸脱しない範囲内で種々の改良変形が可能であることは容易に推察できるものである。例えば、電子吹奏楽器１，３０の各部の形状や寸法、素材を適宜変更しても良い。電子吹奏楽器１，３０はサックスを模した電子楽器に限らず、サックス以外の吹奏楽器を模した電子楽器としても良い。また、操作子２０，２１，２２の数などを適宜変更しても良い。また、溝１６，１７，１８，１９の断面形状を、例えばＵ字状やＶ字状に形成しても良い。なお、Ｖ字状の溝の場合、溝底が線状に設けられる。
【００７７】
上記第１実施形態では、軸部２３が自己潤滑性を有する樹脂材料から構成される場合を説明したが、必ずしもこれに限られるものではない。自己潤滑性を有しない樹脂材料や金属材料などから軸部２３を構成しても良い。また、軸部２３のうち少なくとも貫通孔１４の内周面と擦れる部位を、自己潤滑性を有する樹脂材料から構成し、その他の部位の素材を適宜変更しても良い。この場合にも、貫通孔１４の内周面に対して軸部２３を滑り易くできる。また、軸部２３の全部や一部を操作部２４，２５，２６と一体成形しても良い。
【００７８】
上記第１実施形態では、押下センサ６が感圧センサである場合を説明した。また、上記第２実施形態では、押下センサ３４が距離を検出する光センサである場合を説明した。しかし、必ずしもこれに限られるものではない。演奏者による操作子２０，２１，２２，３１の押下を検出できれば、操作子２０，２１，２２，３１の詳細構成や押下センサの種類は適宜変更しても良い。例えば押下センサとしては、操作子２０，２１，２２の押下によって、弾性体７の下面（操作子２０，２１，２２とは反対側の面）に設けた導体を、制御基板５に設けた２つの接点に接触させることで回路が繋がるスイッチが挙げられる。また、操作子２０，２１，２２，３１との距離を静電容量の変化や超音波の反射などによって測定するセンサを押下センサとしても良い。また、対向間の物体の有無を検出する光センサを押下センサとし、操作子２０，２１，２２，３１に設けた遮光板が押下時に押下センサの対向間に入り込むように設定しても良い。
【００７９】
なお、押下センサの種類によっては、上記第２実施形態のように弾性体７が不要であるため、制御基板５にゴム膜８を設けなくても良い。このような場合でも、押下センサの周囲の制御基板５に壁部１０ｃを配置しても良い。これにより、貫通孔１４から浸入した水分を壁部１０ｃによって広がり難くできる。さらに、壁部１０ｃの内側の制御基板５の配線や各部位の配置、又は、その内側の制御基板５へのコーティング等によって、壁部１０ｃの内側の制御基板５を腐食やショートし難くしても良い。これにより、水分に起因して制御基板５の不具合や故障をより生じさせ難くできる。
【００８０】
押下センサの全周に壁部１０ｃを配置する場合に限らず、押下センサの周囲の一部に壁部１０ｃを配置しても良い。また、内部空間１１に配置される制御基板５以外の支持部材に押下センサを取り付け、押下センサの周囲の支持部材に壁部１０ｃを配置しても良い。制御基板５やゴム膜８等の支持部材と壁部１０ｃとを一体成形したり、支持部材および底形成部１０ｂと壁部１０ｃとを別部材にしたりしても良い。また、底形成部１０ｂ以外の楽器本体１０の一部分と壁部１０ｃとを一体成形しても良い。
【００８１】
壁部１０ｃと楽器本体１０（底形成部１０ｂ等）との間に隙間を形成しても良い。この場合にも、軸部２３等を伝って内部空間１１に浸入した水分を壁部１０ｃの内側に留めることができる。但し、壁部１０ｃと楽器本体１０との間に隙間を設けないことで、貫通孔１４の内周面や底形成部１０ｂを伝う水分を壁部１０ｃの内側に案内できる。また、壁部１０ｃを省略して溝１６等を深くし、底形成部１０ｂを支持部材に接触させても良い。この場合には、底形成部１０ｂの一部が壁部である。
【００８２】
上記第１実施形態では、軸部２３と押下センサ６との間にゴム製の弾性体７が介在する場合を説明したが、必ずしもこれに限られるものではない。コイルスプリングや板バネ、熱可塑性エラストマ等を弾性体７に用いても良い。また、押下センサ６が感圧センサ以外であれば、接触面１２ａや溝底１６ｃ，１７ｃ，１８ｃ，１９ｃとの間に、押下された操作子２０，２１，２２を初期位置に戻す弾性体を設けても良い。
【００８３】
上記各実施形態では、外壁１６ａ，１７ａ，１９ａや第１面１８ｄの高さＨ１，Ｈ３，Ｈ５は、その内側の内壁１６ｂ，１７ｂ，１８ｂ，１９ｂの高さＨ２，Ｈ４，Ｈ６よりも高い場合を説明したが、必ずしもこれに限られるものではない。高さＨ１，Ｈ３，Ｈ５よりも高さＨ２，Ｈ４，Ｈ６を高くしても良い。この場合には、高さＨ２，Ｈ４，Ｈ６の内壁１６ｂ，１７ｂ，１８ｂ，１９ｂを超えて貫通孔１４に水分を浸入させ難くできる。
【００８４】
上記各実施形態では、操作子２０，２１，２２，３１を押下方向（貫通孔１４の貫通方向）に投影した範囲内に内壁１６ｂ，１７ｂ，１８ｂ，１９ｂが位置する場合を説明したが、必ずしもこれに限られるものではない。操作子２０，２１，２２，３１を押下方向（貫通孔１４の貫通方向）に投影した範囲外に内壁１６ｂ，１７ｂ，１８ｂ，１９ｂを設けても良い。この場合には、溝１６，１７，１８，１９に溜まった水分量を容易に確認できると共に、溝１６，１７，１８，１９に溜まった水分を拭き易くできる。その結果、溝１６，１７，１８，１９の内側（貫通孔１４側）に水分を伝わせ難くできる。
【符号の説明】
【００８５】
１，３０  電子吹奏楽器
４  ブレスセンサ（電子部品の一部）
５  制御基板（電子部品の一部、支持部材）
６，３４  押下センサ
１０  楽器本体
１０ｂ  底形成部
１０ｃ  壁部
１１  内部空間
１２，１３  外面
１４  貫通孔
１６ａ，１７ａ，１８ａ，１９ａ  外壁
１６ｂ，１７ｂ，１８ｂ，１９ｂ  内壁
１６ｃ，１７ｃ，１８ｃ，１９ｃ  溝底
２０，２１，２２，３１  操作子
２３  軸部
２４，２５，２６  操作部
【図１】
2019229862.tif 000003
【図２】
2019229862.tif 000004
【図３】
2019229862.tif 000005
【図４】
2019229862.tif 000006
【図５】
2019229862.tif 000007
【国際調査報告】
2019229862.tif 000008
2019229862.tif 000009
2019229862.tif 000010
2019229862.tif 000011